(57)【特許請求の範囲】
【請求項１】
外周面にリールを装着可能であり内部を前記リールからの釣糸が挿通可能な中通し竿であって、
先端部の外周面に内部に釣糸を導入するための糸導入孔が形成された第１竿体と、
前記第１竿体の先端部に並継ぎ形式で連結され、連結されたときに前記糸導入孔の先端部より竿元側に後端部が配置された第２竿体とを備え、
前記第２竿体は、先細り筒状の竿本体と、前記竿本体の後端部に着脱自在に嵌め込まれた筒状の尻栓部と、前記尻栓部に後端が固定され前記竿本体の内部に同芯に配置され内部を釣糸が通過可能な筒状部材と、前記筒状部材の内部に軸方向に間隔を隔てて配置され釣糸を案内する釣糸ガイドと、前記筒状部材を前記竿本体に保持させるための複数の保持部材とを有する釣糸通路とを有し、
前記第１竿体の外周面には、前記糸導入孔より竿元側においてリールからの釣糸を糸導入孔に案内するための釣糸案内部を有し、前記釣糸案内部が、前記糸導入孔の後端からの距離を設けた釣糸ガイドであり、前記釣糸ガイドの内径が前記糸導入孔の幅より小さい、中通し竿。
【請求項２】
前記糸導入孔は前記外周面に長手方向が軸方向に沿った長円形状に形成されている、請求項１に記載の中通し竿。
【発明の詳細な説明】
【０００１】
【発明の属する技術分野】
本発明は、釣り竿、特に、外周面にリールを装着可能であり内部を前記リールからの釣糸が通過可能な中通し竿に関する。
【０００２】
【従来の技術】
中通し竿は、釣り用リールからの釣糸が通過可能な釣糸通路を内部に有するとともに、手元側に釣糸を釣糸通路に導入するための糸導入孔が設けられている。釣糸通路は、糸導入孔より穂先側の竿体の内部に設けられている。また、竿体の先端にはトップガイドが設けられている。このような中通し竿では、リールからの釣糸は糸導入孔を通して竿体内部の釣糸通路に導入され、さらに竿体先端のトップガイドから外部に導出される。
【０００３】
この種の中通し竿、特に並継形式の中通し竿では、竿体内部の釣糸通路に釣糸を通す作業の効率化が求められている。すなわち、振出形式の中通し竿では、一度釣糸を釣糸経路に通せば、リールを装着し釣糸を通したままの状態で収納可能である。しかし、並継形式の中通し竿の場合、収納の都度釣糸を釣糸経路から取り出さなければ竿体を分解できないからである。
【０００４】
中通し竿において、釣糸を効率良く釣糸通路に通す際には、ワイヤ等からなる糸通し具が用いられている。糸通し具はリールから繰り出された釣糸の先端に装着され、糸通し具を糸導入孔から釣糸通路に入れてトップガイドから取り出すことで釣糸を釣糸通路に通している。
【０００５】
【発明が解決しようとする課題】
前記従来の並継形式の中通し竿では、糸導入孔が形成された竿体の穂先側に設けられた釣糸通路の後端部が糸導入孔より竿先側に配置されているので、糸通し具を糸導入孔から釣糸通路に入れにくい。このため、釣糸を釣糸通路に通す作業が行いにくい。
【０００６】
本発明の課題は、糸導入孔から釣糸通路への釣糸の挿通作業を行いやすくすることにある。
【０００７】
【課題を解決するための手段】
発明１に係る中通し竿は、外周面にリールを装着可能であり内部を前記リールからの釣糸が挿通可能な中通し竿であって、先端部の外周面に内部に釣糸を導入するための糸導入孔が形成された第１竿体と、前記第１竿体の先端部に並継ぎ形式で連結され、連結されたときに前記糸導入孔の先端部より竿元側に後端部が配置された第２竿体とを備え、前記第２竿体は、先細り筒状の竿本体と、前記竿本体の後端部に着脱自在に嵌め込まれた筒状の尻栓部と、前記尻栓部に後端が固定され前記竿本体の内部に同芯に配置され内部を釣糸が通過可能な筒状部材と、前記筒状部材の内部に軸方向に間隔を隔てて配置され釣糸を案内する釣糸ガイドと、前記筒状部材を前記竿本体に保持させるための複数の保持部材とを有する釣糸通路とを有し、前記第１竿体の外周面には、前記糸導入孔より竿元側においてリールからの釣糸を糸導入孔に案内するための釣糸案内部を有し、前記釣糸案内部が、前記糸導入孔の後端からの距離を設けた釣糸ガイドであり、前記釣糸ガイドの内径が前記糸導入孔の幅より小さい、竿体である。
【０００８】
この中通し竿では、２つの竿体を並継ぎ形式で連結すると、第２竿体の後端部が糸導入孔の先端部より竿元側に位置し糸導入孔から見える位置に配置される。このため、釣糸を釣糸通路に通す際に糸通し具の第２竿体の釣糸通路に通しやすくなり、釣糸の挿通作業が行いやすくなる。また、第１竿体の外周面には、糸導入孔より竿元側においてリールからの釣糸を糸導入孔に案内するための釣糸案内部を、糸導入孔の後端からの距離を設けてさらに備えているので、釣糸が確実に糸導入孔に案内され、釣糸の摺動抵抗が少なくなり釣糸がスムーズに案内されると共に、釣糸ガイドの内径が糸導入孔の幅より小さいので、釣糸が糸導入孔の左右の両縁に接触しにくくなり、一層釣糸がスムーズに案内される。
【０００９】
さらに、第２竿体は、先細り筒状の竿本体と、竿本体の後端部に着脱自在に嵌め込まれた筒状の尻栓部と、尻栓部に後端が固定され竿本体の内部に同芯に配置され内部を釣糸が通過可能な筒状部材と筒状部材の内部に軸方向に間隔を隔てて配置され釣糸を案内する釣糸ガイドと筒状部材を竿本体に保持させるための複数の保持部材とを有する釣糸通路とを有している。この場合には、第２竿体が第１竿体に連結されたとき、尻栓部の後端部が糸導入孔の先端部より竿元側に配置されるので、糸通し具をより通しやすくなる。
発明２に係る中通し竿は、発明１に記載の竿において、糸導入孔は外周面に長手方向が軸方向に沿った長円形状に形成されている。この場合には、糸導入孔が長円形状であるので、リールから斜めに導入される釣糸が糸導入孔に接触しにくい。
【００１１】
【発明の実施の形態】
図１において、本発明の一実施形態による中通し竿は、元竿１と、元竿１の穂先側に並継ぎ形式で連結される中間竿２と、中間竿２の穂先側に並継ぎ形式で連結される穂先竿３と、穂先竿３の先端に着脱自在に装着されるトップガイド４とを備えている。各竿１〜３は、先細り筒状に形成されており、たとえばガラス繊維、炭素繊維等の高強度繊維基材に樹脂を含浸させたプリプレグを先細りテーパ形状のマンドレルに巻き付け焼成することで得られる。
【００１２】
元竿１の竿元側には中通し竿を操作するためのグリップ１０が形成され、グリップ１０の竿先側には、たとえばスピニングリール１２を装着するためのリールシート１１が取り付けられている。このリールシート１１は、竿尻部からリールシート１１の先端位置までの距離Ｄが８００ｍｍ〜８６０ｍｍの間になるように元竿１に取り付けられている。なお、このリールシート１１は、工場で製造時に取り付ける他、釣り人が使用前に自分の好みに応じて取り付けてもよい。
【００１３】
中間竿２は、後端部が元竿１の先端部に挿入固定可能である。中間竿２の竿先部には糸導入孔１５が形成されている。糸導入孔１５はリール１２からの釣糸１４を内部に導入するための孔である。糸導入孔１５は、中間竿２の先端から、図２及び図３に示すように、たとえば９０ｍｍの位置に幅Ｗ６．５ｍｍ、長さＬ６０ｍｍの長円形状に形成されている。
【００１４】
糸導入孔１５の竿元側には、図１に示すようにリール１２からの釣糸１４を糸導入孔１５に案内するための第１及び第２釣糸ガイド１６，１７が軸方向に並べて配置されている。第１釣糸ガイド１６は、図２及び図３に示すように、ガイドフレーム２０と、ガイドフレーム２０に嵌め込まれたガイドリング２１とを有している。ガイドフレーム２０は金属製の部材であり、ガイドリング２１が嵌め込まれるリング部２０ａと、リング部２０ａの前方で中間竿２の表面に固定されそこから２股に分かれてリング部２０ａの両側部に延びる前固定部２０ｂと、リング部２０ａの後方で中間竿２の表面に固定されそこから２股に分かれてリング部２０ａの下部に延びる後固定部２０ｃとを有している。ガイドリング２１はアルミナやシリコンカーバイト等の硬質セラミック製のリング部材であり、ガイドリング２１の内径ｄ１は糸導入孔１５の幅Ｗより小さく、たとえば５ｍｍである。また中間竿２の表面からガイドリング２１の中心位置までの距離ｈ１は、たとえば８ｍｍである。
【００１５】
第２釣糸ガイド１７は、第１釣糸ガイド１６と同様の構造であるが、全体的に第１釣糸ガイド１６より大きい。第２釣糸ガイド１７のガイドリングの内径は、たとえば１２ｍｍであり、中間竿２の表面からガイドリングの中心位置までの距離は、たとえば２３．５ｍｍである。
糸導入孔１５の後端から第１釣糸ガイド１６までの距離Ｌ１と、糸導入孔１５の後端から第２釣糸ガイド１６間での距離Ｌ２と、元竿１と中間竿２との連結した状態で糸導入孔１５の後端からリールシート１１の先端位置までの距離Ｌ３との距離の比は、１：６：７０〜１：２０：１００の間の値が望ましい。このような数値に各部を配置すると、リール１２から釣糸１４が螺旋状に繰り出された後波うっても元竿１や中間竿２の表面に接触しにくくなるとともに、糸導入孔１５の後縁に釣糸１４が接触しにくくなる。また、第１釣糸ガイド１６の内径が糸導入孔１５の幅Ｗより小さいので、釣糸１４が糸導入孔１５の左右の両縁に接触しにくくなる。このように釣糸１４が糸導入孔１５の縁部に接触しないと、釣糸１４に作用する摺動抵抗が小さくなり、釣糸１４をスムーズに内部に導入することができる。
【００１６】
中間竿２の内部において糸導入孔１５の後端部には、中間竿２の竿元側への水の侵入を防止するための水止め栓２５が装着されている。水止め栓２５は、たとえば合成ゴム製であり、中間竿２の内部に弾性を利用して固定されている。水止め栓２５の竿先側の中心部には装着穴２５ａが形成されている。水止め栓２５は、装着穴２５ａに棒状の装着治具の先端を挿入して、装着治具を中間竿２の先端部から挿入することで製造時に中間竿２の内部の所定位置に装着される。このようにな水止め栓２５により中間竿２の内部への水の侵入を防止することで、中間竿２と元竿１との固着や内部への異物の侵入防止できる。
【００１７】
穂先竿３は、後端部が中間竿２の先端部に挿入固定可能である。図２及び図３に示すように、穂先竿３を中間竿２に挿入固定すると、穂先竿３の後端部は糸導入孔１５の先端部より竿元側に位置する。穂先竿３は、図２及び図４に示すように、先細り筒状の竿本体３０と、竿本体の後端部に着脱自在に嵌め込まれた筒状の尻栓部３１と、尻栓部３１に後端が着脱自在に嵌め込まれた釣糸経路となる内挿体３２とを有している。
【００１８】
竿本体３０は、先細り筒状に形成されており、その先端にトップガイド４が装着されている。竿本体３０の後端部内周面には雌ねじ部３０ａが形成されており、そこに尻栓部３１がねじ込まれている。
尻栓部３１は、たとえばチタン合金等の軽量金属製のフランジ筒状部材であり、その先端部外周面に雌ねじ部３０ａと螺合する雄ねじ部３１ａが形成されている。また、後端部には竿本体３０の後端部の外径よりやや小さい外径の大径部３１ｂが形成されており、大径部３１ｂと竿本体３０の後端との間にＯリング３３が装着されている。尻栓部３１の後端部内周面には内挿体３２に連通する先細りテーパ孔３１ｃが形成されており、テーパ孔３１ｃの後端部と先端部とには硬質セラミック製のガイドリング３４，３５がそれぞれはめ込み固定されている。ガイドリング３４の内径はガイドリング３５の内径より大きい。尻栓部３１の先端部内周面にはテーパ孔３１ｃの後端部より大径の雌ねじ部３１ｄが形成されている。この尻栓部３１の後端部は、穂先竿３を中間竿２に挿入固定したとき、糸導入孔１５の先端部より竿元側に位置する。
【００１９】
内挿体３２は、尻栓部３１にねじ込み固定される筒状のライナーリング３６と、ライナーリング３６に固定されたパイプ状のライナー３７と、ライナー３７の内部に軸方向に間隔を隔てて配置された硬質セラミック製の複数のガイドリング３８と、ガイドリング３８の間に配置された複数のスペーサリング３９と、ライナー３７と竿本体３０の内周面の間に軸方向に間隔を隔てて配置された複数の弾性リング４０とを有している。
【００２０】
ライナーリング３６は筒状の部材であり、後端部外周面に尻栓部３１の雌ねじ部３１ｄに螺合する雄ねじ部３６ａが形成されている。また、内周面にライナー３７の後端部が接着固定されている。
ライナー３７は、半透明の可撓性を有する合成樹脂製パイプ部材であり、その先端は竿本体３０の先端よりやや竿元側に位置している。ライナー３７の先端部には小径の段差部３７ａが形成されており、そこに先端側のガイドリング３８が装着されている。
【００２１】
ガイドリング３８は、耐磨耗性を有し内周面が滑らかなセラミック製のリング部材である。ガイドリング３８は、釣糸１４を抵抗を少なく案内するためのものであり、その内径はガイドリング３５と同じか小さい。
スペーサリング３９は、ガイドリング３８の間隔を隔てて配置するために装着されており、その内径はガイドリング３８の内径より大きい。
【００２２】
複数の弾性リング４０は、ゴム等の弾性部材で構成されている。弾性リング４０は、ライナー３７を竿本体３０に固定するために設けられており、先細り筒状の竿本体の内径に合わせて先端側の外径が徐々に小さくなるように形成されている。弾性リング４０は、ライナー３７の外周面に接着固定されている。また、弾性リング４０の固定位置はガイドリング３８の位置とずれて配置されている。この弾性リング４０により竿本体３０のしなりにライナー３７がしなり、竿本体３０にライナー３７の中間部分が接触しにくくなる。
【００２３】
ライナー３７の先端部は、竿本体３０の先端部に位置しており、隙間Ｓが小さくなり弾性リング４０を配置できない。この隙間Ｓは０．５ｍｍ以下と小さく設定されている。この隙間Ｓが小さいため、ライナー３７と竿本体３０とがキャスティング時等にしなって衝突しても大きな衝突音は生じにくい。
この内挿体３２を製造する際には、まず、ライナーリング３６とライナー３７とを接着固定し、ライナー３７の内部にガイドリング３８とスペーサリング３９とを交互に装着する。そして、尻栓部３１をライナーリング３６にねじ込み、最後にライナー３７の外周に弾性リング４０を間隔を隔てて装着固定して内挿体３２を完成する。そしてこのようにして得られた内挿体３２と尻栓部３１との組立体を竿本体３０の後端部にＯリング３３を挟んでねじ込みことで穂先竿３が完成する。
【００２４】
トップガイド４は、図４に示すように、穂先竿３の竿本体３０の先端に嵌合固定される装着筒部４１と、装着筒部４１の穂先側に配置された第１筒部４２と、第１筒部４２の穂先側に配置された第２筒部４３とを備えている。これらの筒部の外周面は滑らかに連続しており後端部（竿元側）にいくに従い小径になっている。
【００２５】
第１筒部４２は装着筒部４１にねじにより着脱自在に装着されている。また、第２筒部４３は第１筒部にねじにより着脱自在に装着されている。これらの締結部は、軸方向に重畳して配置されている。第１筒部４２の先端部及び第２筒部４３の先端部にはそれぞれ硬質セラミック製のガイドリング４５，４６がはめ込み固定されている。また、第２筒部４３の周面には、周方向に間隔を隔てて４つの水抜き孔４３ａが形成されている。
【００２６】
このような構成の中通し竿では、リール１２から繰り出された釣糸１４を内挿体３２に通す際には、３本の竿１〜３を並継ぎし、釣糸１４の先端に糸通し具を装着し、糸通し具の先端を２つの釣糸ガイド１６，１７を通過させて尻栓部３１のガイドリング３４に挿入する。このとき穂先竿３の後端部、すなわち尻栓部３１は糸導入孔１５の先端部より竿元側に位置しているので、糸通し具をガイドリング３４に挿入するのは容易である。そして、糸通し具を徐々に穂先側に押し込むと、その先端がトップガイド４から出てくる。トップガイド４から糸通し具の先端が出てくると、それを指で摘んで引き出し釣糸１４をトップガイド４から取り出す。ここでは、穂先竿３の後端部が糸導入孔１５の先端部より竿元側に位置しているので、釣糸の挿通作業が容易である。
【００２７】
キャスティング時や仕掛けに魚がかかって巻き取る時に竿体がしなると、釣糸がガイドリング３８に接触して案内される。このため、接触抵抗が少なくなり釣糸の付着も少なくなる。また竿本体３０がしなると、それとともに弾性リング４０によって竿本体３０内部に固定されたライナー３７もしなる。しかし、先端部分に弾性リング４０を配置するのは無理なためライナー３７の先端は片持ち支持になっており、先端側の弾性リング４０より穂先側はしならない。このため、ライナー３７の先端が竿本体３０に衝突する。しかし、ライナー３７の外周面と竿本体３０の内周面との隙間が０．５ｍｍ以下のため、ライナー３７の衝突時の衝突距離が小さくなり大きな音は発生せず、音の発生を小さく抑えることができる。しかも、ライナー３７が合成樹脂製であるため、ライナー３７が衝突しても大きな音が生じにくい。
【００２８】
また、異物が内挿体３２の内部に堆積したときには、尻栓部３１を、たとえば反時計回りに回して竿本体３０から取り外す。すると内挿体３２が尻栓部３０とともに竿本体３０から出てくる。そして尻栓部３１をライナーリング３６から取り外し内挿体３２単体にする。この状態で異物の堆積状態をライナー３７の外部から確認して、たとえばガイドリング３８の内径より小径の棒状の清掃具を内挿体３２の穂先側（先端側）又は竿元側（後端側）から挿入して異物を取り出し清掃する。とくに汚れがひどい場合には、たとえば、ガイドリング３８及びスペーサリング３９の内径よりは大きく段差３７ａの内径よりは小さい棒状の取り出し具をライナー３７の穂先側から挿入し、ガイドリング３８とスペーサリング３９とを押し出してライナー３７から取り出せばよい。このようにしてガイドリング３８とスペーサリング３９とを取り出せば、その前後に堆積した異物も両リング３８，３９とともに押し出される。このため、内挿体３２の内部をより確実に清掃できる。
【００２９】
〔他の実施形態〕
（ａ）前記実施形態では、尻栓部３１を糸導入孔１５の先端部より竿元側に位置させたが、尻栓部が装着されていない竿の場合には、竿の後端部が糸導入孔１５の先端部より竿元側に位置させればよい。
（ｂ）前記実施形態では３本継ぎの並継ぎ形式の中通し竿を例に説明したが、継ぎ数は３本に限定されるものではない。
【００３０】
（ｃ）前記実施形態では糸導入孔とリールシートとが異なる竿に設けられたが、これらは同一の竿に設けられていてもよい。
【００３１】
【発明の効果】
本発明によれば、２つの竿体を並継ぎ形式で連結すると、第２竿体の後端部が糸導入孔の先端部より竿元側に配置される。このため、釣糸を釣糸通路に通す際に糸通し具の第２竿体の釣糸通路に通しやすくなり、釣糸の挿通作業を行いやすくなる。また、第１竿体の外周面には糸導入孔より竿元側においてリールからの釣糸を糸導入孔に案内するための釣糸案内部を、糸導入孔の後端からの距離を設けてさらに備えているので、釣糸が確実に糸導入孔に案内され、釣糸の摺動抵抗が少なくなり釣糸がスムーズに案内される。さらに、釣糸ガイドの内径が糸導入孔の幅より小さいので、釣糸が糸導入孔の左右の両縁に接触しにくくなり、一層釣糸がスムーズに案内される。
【図面の簡単な説明】
【図１】本発明の一実施形態による中通し竿の側面図。
【図２】その糸導入孔付近の断面拡大図。
【図３】その糸導入孔付近の平面拡大図。
【図４】そのトップガイド付近の断面拡大図。
【符号の説明】
１  元竿
２  中間竿
３  穂先竿
１２  スピニングリール
１４  釣糸
１５  糸導入孔
１６  第１釣糸ガイド
１７  第２釣糸ガイド
３０  竿本体
３１  尻栓部
３２  内挿体
３６  ライナーリング
３７  ライナー
３８  ガイドリング
【図１】
0003956166.tif 000002
【図２】
0003956166.tif 000003
【図３】
0003956166.tif 000004
【図４】
0003956166.tif 000005